(57)【要約】      （修正有）【課題】緊急離脱時に、作業がより迅速に行うことができ、また、容易で確実な離脱、再接続が行うことができる着脱式体外循環回路を提供する。【解決手段】動脈側体外循環回路２と静脈側体外循環回路３から構成され、前記動脈側体外循環回路と前記静脈側体外循環回路の途中に、それぞれ着脱式接続部材を配置し、前記動脈側体外循環回路の着脱式接続部材として、ポート４とアダプタ６が配置され、前記静脈側体外循環回路の着脱式接続部材として、アダプタ７とポート５が配置され、前記ポートは、それぞれアダプタを、離脱しても液密性を維持できるように形成されている着脱式体外循環回路１。【選択図】図１
0003118320.tif 000002
【実用新案登録請求の範囲】
【請求項１】
動脈側体外循環回路（２）と静脈側体外循環回路（３）から構成され、
前記動脈側体外循環回路（２）と前記静脈側体外循環回路（３）の途中に、それぞれ着脱式接続部材（４、６、７、５）を配置し、
前記動脈側体外循環回路２の着脱式接続部材（４、６）として、ポート（４）とアダプタ（６）が配置され、
前記静脈側体外循環回路（３）の着脱式接続部材（７、５）として、アダプタ（７）とポート（５）が配置され、
前記ポート（４、５）は、それぞれアダプタ（６）、アダプタ（７）を、離脱しても液密性を維持できるように形成されていることを特徴とする着脱式体外循環回路（１）。
【請求項２】
動脈側体外循環回路（２）は、アダプタ（６）の近傍に着脱可能な閉止部材（８）を配置し、静脈側体外循環回路（３）は、アダプタ（７）の近傍に着脱可能な閉止部材（８）を配置した、ことを特徴とする請求項１に記載の着脱式体外循環回路（１）。
【請求項３】
前記ポート（４、５）は、口部（１０３）に、栓体（１０５）を装着し、当該栓体（１０５）にキャップ（１１０）を被冠し、前記栓体（１０５）天面に突起（１０６）を形成し、当該突起（１０６）の水平断面は、長径（Ｌ）と短径（Ｓ）を組み合わせた略矩形状に形成され、前記短径（Ｓ）の略中央部に長径（Ｌ）と略９０°交差するスリット（ＳＬ）を形成し、
前記キャップ（１１０）に、前記栓体（１０５）の突起（１０６）の水平断面形状に合致した開口部（１１１）を形成し、前記栓体（１０５）の突起（１０６）の外周（ＯＷ）と前記キャップ（１１０）の内壁面（ＩＷ）が、接触しないように、スペース（ＳＰ）を形成したポート（１０１）である請求項１ないし請求項２に記載の着脱式体外循環回路（１）。
【請求項４】
前記ポート（４、５）は、キャップ（２１０）の側壁（２１３）の内側に、円周リブ（２１６）を形成し、当該円周リブ（２１６）の内側にスリット（２０６）を形成した栓体（２０５）を装着し、
ハウジング（２０２）に突設されたポート（２０３）を前記キャップ（２１０）の側壁（２１３）と円周リブ（２１６）の間に形成された空間（Ｓ）に装着したポート（２０１）である請求項１ないし請求項２に記載の着脱式体外循環回路（１）。
【請求項５】
前記アダプタ（６、７）は、本体（１３２）の前方に細径部（１３３）が形成されたアダプタ（１３１）である請求項１ないし請求項２に記載の着脱式体外循環回路（１）。
【請求項６】
前記アダプタ（６、７）は、液体流路の途中に、シール部材を配置して、ポート（４、５）から外しても、自動的にシールされる構造を有する、ことを特徴とする請求項１に記載の着脱式体外循環回路（１）。
【考案の詳細な説明】
【技術分野】
【０００１】
血液透析等の治療中に、予期せぬ災害や機器のトラブル、また患者自身の事情などにより、一時的に治療を中断しなければならなくなった場合に、患者と人工腎臓を容易に離脱可能にでき、さらに、治療が再開できるように形成した着脱式体外循環回路に関する。
【背景技術】
【０００２】
患者の血管に体外循環回路を穿刺し、患者の血液を、その体外循環回路及び体外循環回路に接続された人工腎臓内を循環させて血液内の不純物を取り除く血液透析は、通常、３〜４時間といった長時間を要する治療である。
こうした血液透析の治療中に、災害発生、機器トラブル、また患者自身に何らかの事情等が生じた場合、避難したりトラブル対応を行ったり、緊急に治療を一時中断しなければならない事態が起こり得る。
【０００３】
中でも、例えば地震等の災害発生の非常事態が起きると、透析を中断して、速やかに避難を行わなければならないが、災害が治まったりなどで、再び透析を始める場合、避難の前に行っていた透析で体外へと流出させた血液は、人工腎臓や回路の中で凝血等を起こしている可能性が高く、したがって人工腎臓や回路等を再度使用することはできない。そのため、人工腎臓や回路に残っていた血液は、人工腎臓や回路とともに廃棄することになってしまう。
【０００４】
そこで、特許文献１（図１６は従来の体外循環回路３５１の通常使用時の概略図、図１７は従来の体外循環回路３５１の緊急離脱時の概略図）には、面倒な操作を必要とせずに体外循環を一時的に中断でき、患者側及び体液処理装置側に閉回路を形成することで、患者側の閉回路では動脈圧により体液を循環させ、体液処理装置側の閉回路では体液ポンプにより体液を循環させることで、回路内及び装置内の血液を凝固させることなく、体外循環を再び行うことのできる考案が開示されている。
【０００５】
しかし、特許文献１の考案では、図１７のように動脈側体外循環回路３５２（血液を体外に流す側）、静脈側体外循環回路３５３（血液を体内に戻す側）とも、コネクタ（オスコネクタ３５６、３５７、メスコネクタ３５４、３５５）を離脱させるときに、鉗子（またはクランプ）３５８等でおのおの患者側と人工腎臓側の４ヶ所を図１７のようにそれぞれ確実に閉塞し、コネクタ（オスコネクタ３５６、３５７、メスコネクタ３５４、３５５）を離脱して避難していた。
しかしこれらの考案では、特に緊急離脱時といった急を要する事態においては、心理的にも、落ち着いて作業をこなすことは難しくもあり、鉗子やクランプでしっかりと閉塞できていないと、血液が漏れる懸念がある。
【特許文献１】実公平６−２８１２５号公報（［産業上の利用分野］、第３図）
【考案の開示】
【考案が解決しようとする課題】
【０００６】
災害発生など緊急離脱時といった急を要する事態においては、従来の体外循環回路のように、回路の４ヶ所全てを図１７のようにそれぞれ確実に閉塞し、さらにコネクタ（オスコネクタ３５６、３５７、メスコネクタ３５４、３５５）を離脱させて避難することは、心理的にも、手技的にも困難である。
【課題を解決するための手段】
【０００７】
そこで本考案者は以上の課題を解決するために鋭意検討を重ねた結果、以下の考案に到達した。
［１］本考案は、動脈側体外循環回路（２）と静脈側体外循環回路（３）から構成され、
前記動脈側体外循環回路（２）と前記静脈側体外循環回路（３）の途中に、それぞれ着脱式接続部材（４、６、７、５）を配置し、
前記動脈側体外循環回路２の着脱式接続部材（４、６）として、ポート（４）とアダプタ（６）が配置され、
前記静脈側体外循環回路（３）の着脱式接続部材（７、５）として、アダプタ（７）とポート（５）が配置され、
前記ポート（４、５）は、それぞれアダプタ（６）、アダプタ（７）を、離脱しても液密性を維持できるように形成されている着脱式体外循環回路（１）を提供する。
［２］本考案は、動脈側体外循環回路（２）は、アダプタ（６）の近傍に着脱可能な閉止部材（８）を配置し、静脈側体外循環回路（３）は、アダプタ（７）の近傍に着脱可能な閉止部材（８）を配置した［１］に記載の着脱式体外循環回路（１）を提供する。
［３］本考案は、前記ポート（４、５）は、口部（１０３）に、栓体（１０５）を装着し、当該栓体（１０５）にキャップ（１１０）を被冠し、前記栓体（１０５）天面に突起（１０６）を形成し、当該突起（１０６）の水平断面は、長径（Ｌ）と短径（Ｓ）を組み合わせた略矩形状に形成され、前記短径（Ｓ）の略中央部に長径（Ｌ）と略９０°交差するスリット（ＳＬ）を形成し、
前記キャップ（１１０）に、前記栓体（１０５）の突起（１０６）の水平断面形状に合致した開口部（１１１）を形成し、前記栓体（１０５）の突起（１０６）の外周（ＯＷ）と前記キャップ（１１０）の内壁面（ＩＷ）が、接触しないように、スペース（ＳＰ）を形成したポート（１０１）である［１］ないし［２］に記載の着脱式体外循環回路（１）を提供する。
［４］本考案は、前記ポート（４、５）は、キャップ（２１０）の側壁（２１３）の内側に、円周リブ（２１６）を形成し、当該円周リブ（２１６）の内側にスリット（２０６）を形成した栓体（２０５）を装着し、
ハウジング（２０２）に突設されたポート（２０３）を前記キャップ（２１０）の側壁（２１３）と円周リブ（２１６）の間に形成された空間（Ｓ）に装着したポート（２０１）である［１］ないし［２］に記載の着脱式体外循環回路（１）を提供する。
［５］本考案は、前記アダプタ（６、７）は、本体（１３２）の前方に細径部（１３３）が形成されたアダプタ（１３１）である［１］ないし［２］に記載の着脱式体外循環回路（１）を提供する。
［６］本考案は、前記アダプタ（６、７）は、液体流路の途中に、シール部材を配置して、ポート（４、５）から外しても、自動的にシールされる構造を有する［１］に記載の着脱式体外循環回路（１）を提供する。
【考案の効果】
【０００８】
（１）（緊急）離脱時に、アダプタ６、７とポート４、５を分離する際、チューブを遮断するための閉止部材８（クランプ、鉗子）の使用は、アダプタ６、７側のみでよく、作業がより迅速に行える。
（２）また、アダプタ６、７とポート４、５を分離及び再接続する際も、容易で確実な離脱、並びに再接続が行うことができる。
（３）一時中断していた透析治療を（２）により再び続行できるので、無駄になる血液がなくなる。
（４）アダプタ６、７とポート４、５を相互に取り外しても自動的に液密性を維持できる構造に形成することにより、特許文献１に記載のように、四箇所で閉塞する必要がないので、操作性が大幅に向上する。
【考案を実施するための最良の形態】
【０００９】
図１は、本発明の体外循環回路１の通常使用時の概略図、図２は本発明の体外循環回路１の緊急離脱時の概略図、図３は本発明の体外循環回路１の緊急離脱時の（Ａ）患者側接続時の概略図（Ｂ）人工腎臓側接続時の概略図である。
［体外循環回路１］
体外循環回路１は、動脈側体外循環回路２と静脈側体外循環回路３から構成される。動脈側体外循環回路２は、上流から下流に見て、コネクタ１０、着脱式接続部材４、６、混注部９、ローリングチューブ１２が配置されている。静脈側体外循環回路３には、下流から上流側に見て、コネクタ１１、着脱式接続部材７、５、チャンバ１３が配置されている。
【００１０】
［着脱式接続部材（ポート４、５とアダプタ６、７）］
体外循環回路として通常の使用時には、図１に例示するように、ポート４、５にアダプタ６、７を装着した状態で使用する。動脈側体外循環回路２は、患者側にポート４を配置し、人工腎臓側にアダプタ６を配置している。一方、静脈側体外循環回路３は人工腎臓側にポート５を配置し、患者側にアダプタ７を配置している。それぞれのポート４、５とアダプタ６、７は互いに液密に装着され、離脱できるように形成されている。さらに詳述すれば、前記ポート４とポート５は、それぞれアダプタ６とアダプタ７を、離脱しても液密性を維持できるように形成されている。
またアダプタ６、７にも液体流路の途中に、公知の逆止弁等のシール部材を配置して、ポート４、５から外しても、自動的にシールされる構造とすることができる。
なお、アダプタ６、７にこれらのシール部材を配置しなくても、体外循環（透析）を中断し、送血ポンプを止めてから、ポート４、５から取り外すことにより、取り外し後には、体外循環回路１側に圧力はかからないので、アダプタ６、７から血液が漏れることはない。
またポート４、５とアダプタ６、７は、図１、図２、図３に示した位置に限定されることはなく、離脱や再接続の操作がしやすい位置であれば、どの位置に設置してもよい。
【００１１】
［使用方法の一例］
緊急離脱時：災害等の発生により緊急離脱が必要となった場合、まず、図２のように、閉止部材８（鉗子、クランプ等）８で体外循環回路１のアダプタ６、７の下流側の下流側の位置を完全に閉塞する。
次に、ポート４とアダプタ６、及びポート５とアダプタ７を外す。ポート４、５はアダプタ６、７を外すと自動的にシールされる構造なので、閉止部材８（鉗子、クランプ）を用いなくても血液が漏れることはない。
図３に示すように、外したポート４に、アダプタ７、ポート５にアダプタ６を接続する。これにより、ポート４とアダプタ７で患者側の循環路が形成され、ポート５とアダプタ６で人工腎臓側の循環路が形成されることになる。
なお、前記患者側の循環路内の血液は、動脈圧によって循環する。また、人工腎臓側の循環路内の血液については、血液ポンプで循環させることにより、血液の回路内での凝固を防止できる。
【００１２】
透析治療再開時：患者側のアダプタ７と、人工腎臓側のアダプタ６を閉止部材８（鉗子、クランプ）で閉塞し、血液の流れを止める。患者側と人工腎臓側の循環路を形成していた、ポート４とアダプタ７、ポート５とアダプタ６を外し、ポート４とアダプタ６、ポート５とアダプタ７を接続し、図１のように元の通常使用時の状態に戻して透析治療を再開する。
【００１３】
［着脱式接続部材（ポートとアダプタ）の例示］
次に、本発明に使用するポートとアダプタについて詳述する。
図４は本発明に使用するポート１０１の概略図（一部切欠断面図）、図５は図３の平面図、図６は図４の一部拡大図、図７は図５の一部拡大図［（Ａ）は平面図、（Ｂ）は（Ａ）のＡ−Ａ断面図、（Ｃ）は（Ａ）のＡ−Ａ断面図］、図８は栓体の一部拡大図［（Ａ）は平面図、（Ｂ）は（Ａ）のＣ−Ｃ断面図］である。図９は本発明に使用するのアダプタ１３１の概略図（平面図）、図１０は図９のＤ−Ｄ線断面図、図１１は図９の左側面図、図１２は図９の右（左）側面図、図１３はポート１０１とアダプタ１３１の使用状態図である。
［ポート１０１］
本発明のポート１０１は、口部１０３に、栓体１０５を装着し、栓体１０５にキャップ１１０を被冠したものであって、当該栓体１０５天面に突起１０６を形成し、当該突起１０６の水平断面は、長径Ｌと短径Ｓを組み合わせた略矩形状に形成され、前記短径Ｓの略中央部に長径Ｌと略９０°交差するスリットＳＬを形成し、前記キャップ１１０に、前記栓体１０５の突起１０６の水平断面形状に合致した開口部１１１を形成し、前記栓体１０５の突起１０６の外周ＯＷと前記キャップ１１０の内壁面ＩＷが、接触しないように、スペースＳＰを形成したものである。
［栓体１０５］
栓体１０５の突起１０６の水平断面は、長径Ｌと短径Ｓを組み合わせた「略矩形状」であれば何でも良い。「略矩形状」とは、単に長径Ｌと短径Ｓの組み合わせのみではなく、図７、図８に例示するように、短径Ｓ側の中央部付近を若干丸く膨らませた形状も含む。また同図７、図８に例示するように、角部（四隅）も丸みを帯びた形状にするのが良い。スリットＳＬは、長径Ｌ側と略９０°交差するように、短径Ｓ側の中央部付近を縦断するように形成される。またスリットＳＬは、ルアー部１３３（注入口１３３）を挿入可能な形態（例えば上端（天面）から縦断面の途中に亘って形成されているものあるいは縦断面の上端（天面）から下端（底面）に亘って形成されたもの等）であれば何でも良い。
スペースＳＰは、０．０５ｍｍから０．１ｍｍに形成することにより、栓体１０５の突起１０６をキャップ１１０の開口部１１１に入れやすくなる。あまりスペースＳＰが大きくなりすぎると、突起１０６の水平断面（穿刺の標的）が小さくなりすぎるので、好ましくない。逆にあまりスペースＳＰが小さくなりすぎると、キャップ１１０を栓体１０５に被冠するときに、キャップ１１０の開口部１１１が、栓体１０５の突部１０６に入れにくくなるので好ましくない。
突起１０６の高Ｈ（栓体１０５天面からの高さ）は、０．３〜０．６ｍｍに形成するのが良い。あまり大きく（高く）なりすぎると、使用中に外気の汚染されやすくなるので好ましくない。逆に、あまり小さく（低く）なりすぎると、残液や残血等を完全に拭き取りにくくなるので好ましくない。
また突起１０６の大きさ（面積）Ｓ（栓体１０５天面の全面積に占める割合）は、１０％から２０％に形成するのが良い。あまり大きくなりすぎると、キャップ１１０を栓体１０５に被冠するときに、キャップ１１０の開口部１１１が、栓体１０５の突部１０６に入れにくくなるので好ましくない。逆に、あまり小さくなりすぎると、穿刺の標的が小さくなるので好ましくない。
【００１４】
［キャップ１１０］
当該キャップ１１０の天面部に、アダプタ１３１のリブ１３５先端を固定できる係合部１１２を形成している。キャップ１１０の天上壁１１４に、アダプタ１３１の係合部１３６を係止できるように形成している。
すなわちキャップ１１０は図４から図７に例示するように、円筒状の側壁１１３と板状の天上壁１１４より構成され、側壁１１３の天面に係合部１１２が形成され、板状の天上壁１１４に開口部１１１が形成されている。
図７の例示では、係合部１１２として、二個の突起１１０Ｔを１８０°に対向させて一対形成し、これらの二個の突起１１０Ｔの間の空間１１０Ｓに、アダプタ１３１のリブ１３５を、係合して固定するようにしている。係合部１１２はアダプタ１３１のリブ１３５を、係合して固定することができれば、形態は何でも良く、例えば、細長い溝等であっても良い。
また開口部１１１は、栓体１０５の突起１０６の水平断面形状に合致させて長辺と短辺を有するいわゆる「略矩形状」として形成されている。
【００１５】
また口部１０３に装填される栓体５は、アダプタ１３１のルアー部１３３（注入口１３３）を挿入可能なスリットＳＬ付きの栓体１０５であれば何でも良い。
また図４の例示では、栓体１０５は口部１０３の内部に配置されているが、ポート１０３の下部に配置（厳密にいえば、ポート１０３下部とハウジング１０２の上段部との間）しても良い。
ポート１０３とキャップ１１０は係合部１０４、１１５（具体的には、突起と溝で、相互に入れ替わっても良い）により係合される。
【００１６】
［アダプタ１３１］
図９から図１２はポート１０１に装着されるアダプタ１３１の概略図である。
アダプタ１３１は、本体１３２の前方に細径のルアー部１３３が形成され、後方に接続部１３４が形成されている。
アダプタ１３１は、前記本体１３２内に、後方から前方に向けて先細りの液体流通路１３７が形成され、前記ルアー部１３３内に液体流通路１３８が形成されている。
また本体１３２の側部に把手として複数のリブ１３５が形成されている。図１１の例示では、略９０°間隔で４個のリブ１３５が形成されている。図９から図１１の例示では、リブ１３５は翼状に形成されているが、リブ１３５の形態も何でも良く、混注部材１の係合部１２に係合できる形態であれば何でも良い。
アダプタ１３１は、本体１３２の下部に、係合部１３６を形成している。
図９、１０の例示では、係合部１３６は、矩形の板状に形成しているが、前記混注部材１０１の天上壁１１４に係合して固定できる形態であれば何でも良く、略楕円の板状等に形成しても良い。また本体１３２への形成位置も同本体１３２の略中腹部から下部の間であれば、どこでも良い。
【００１７】
［使用方法］
ポート１０１は、アダプタ１３１とともに使用することができる。図１３から図１４を参照にして、ポート１０１とアダプタ１３０の接続方法の一例について説明する。
図１４［（Ａ）は挿入前、（Ｂ）は挿入後、９０°回転前］のようにアダプタ１３１のルアー部１３３（注入口）を栓体１０５に挿入し、アダプタ１３１を９０°回転させ、リブ１３５先端部を、ポート１０１の係合部１１２に係合し、係合部１３６をポート１０１の上部壁１１４と栓体１０５の天面の間に係止する。（図１４（Ｃ）参照、同（Ｄ）は（Ｃ）を９０°回転させた方向から見た断面図）さらに詳述すれば係合部１３６は、栓体１０５を上から下に押圧した状態で、混注部材１０１の上部壁１１４と栓体１０５の天面の間に確実に係止される。
これにより、アダプタ１３１を動かないように、ポート１０１に装着した状態で、血液を体外循環させることができる。
ポート１０１は、（１）「栓体５天面に突起１０６を形成し、当該突起１０６の水平断面は、長径Ｌと短径Ｓを組み合わせた略矩形状に形成され、前記短径Ｓの略中央部に長径Ｌと略９０°交差するスリットＳＬを形成し、キャップ１１０に、前記栓体１０５の突起１０６の水平断面形状に合致した開口部１１１を形成し、栓体１０５の突起１０６外周ＯＷと前記キャップ１１０の内壁面ＩＷが、接触しないように、スペースＳＰを形成」することにより、アダプタ１３１の注入口１３３の挿入（穿刺、装着）時に、シール性（液密性）が高く、液体のリークが発生しにくく、アダプタ１３１の注入口３３を入れやすい。アダプタ１３１の注入口１３３を外してもシール性（液密性）を維持することができる。
【００１８】
図１４は本発明に使用するポート２０１の分解図、図１５は断面図である。
［ポート２０１の概要］
ポート２０１は、キャップ２１０の側壁２１３の内側に、円周リブ２１６を形成し、当該円周リブ２１６の内側にスリット２０６を形成した栓体２０５を装着し、ハウジング２０２に突設されたポート２０３を前記キャップ２１０の側壁２１３と円周リブ２１６の間に形成された空間Ｓに装着している。
【００１９】
［キャップ２１０］
キャップ２１０は図１４から図１５に例示するように、円筒状の側壁２１３と板状の天上壁２１４より構成され、円筒状の側壁２１３の内側（内周）に円周リブ２１６が形成されている。
円周リブ２１６とは、例えば環状に連続ないし一部不連続に間隔をおいて形成される筒体ないし複数の突起で、円周リブ２１６の内径は、栓体２０５の外径よりも若干小さく形成して、内部空間に栓体２０５を装着（圧入、嵌合）できるように形成されている。
側壁２１３と円周リブ２１６の間に形成された空間Ｓは、ハウジング２０２に突設されたポート２０３が装着（圧入、嵌合）できるように形成されている。
【００２０】
［栓体５］
また口部２０３に装填される栓体２０５は、アダプタ１３１（図示せず）の細径部１３３（注入口）を挿入可能なスリット２０６付きの栓体２０５であれば何でも良い。スリット２０６の形態も細径部（注入口）を挿入可能な形態（例えば縦断面の上端から途中に亘って形成されているものあるいは縦断面の上端から下端に亘って形成されたもの等）であれば何でも良い。
また図１５の例示では、栓体２０５はポート２０３の内部に配置されているが、ポート２０３の下部に配置（厳密にいえば、口部２０３下部とハウジング２０２の上段部との間）しても良い。
口部２０３とキャップ２１０は係合部２０４、２１５（具体的には、突起と溝で、相互に入れ替わっても良い）により係合される。
【００２１】
図１４と図１５を参照にして、ポート２０１の組み立て方法の一例について説明する。
（１）図１４に例示するように、キャップ２１０の円周リブ２１６内に栓体２０５を装着（圧入、嵌合）する。これにより円周リブ２１６により栓体２０５に締付圧力が付与される。
（２）ハウジング２０２に突設されたポート２０３を（１）のキャップ２１０の側壁２１３と円周リブ２１６の間に形成された空間Sに装着（圧入、嵌合）する。これによりキャップ２１０の側壁２１３と円周リブ２１６の両方で二重に栓体２０５に締付圧力を付与することができる。
本発明のポート２０１は、（１）キャップ２１０の側壁２１３の内側に、円周リブ２１６を形成することにより、栓体２０５の上面により強い締め付け力を付与することができ、スリット２０６にアダプタ等の注入口を挿入した時のシール性が向上する。（円周リブ２１６がない場合は、栓体２０５の下部に強い締め付け圧が発生し、スリット２０６に注入口を挿入した時のシール性が弱くなる）
（２）ハウジング２０２に突設された口部２０３を前記キャップ２１０の側壁２１３と円周リブ２１６の間に形成された空間Ｓに装着しているので、（円周リブ２１６を形成していない特許文献１に記載の発明（単に上から押さえつけるのみ）と比較して）キャップ２１０とポート２０３の嵌合力が強くなり、キャップ２１０が抜けにくくなる。
（３）前記（１）と（２）により、円周リブ２１６及び側壁２１３の両方から二重に栓体２０５の上面により強い締め付け力を付与することができるので、スリット２０６に注入口を挿入した時のシール性が確実に向上する。
アダプタの注入口を外してもシール性（液密性）を維持することができる。
【図面の簡単な説明】
【００２２】
【図１】本発明の体外循環回路１の通常使用時の概略図
【図２】本発明の体外循環回路１の緊急離脱時の概略図
【図３】本発明の体外循環回路１の緊急離脱時の（Ａ）患者側接続時の概略図（Ｂ）人工腎臓側接続時の概略図
【図４】本発明に使用するポート１０１の概略図（一部切欠断面図）
【図５】図１の平面図
【図６】図１の一部拡大図
【図７】図２の一部拡大図［（Ａ）は平面図、（Ｂ）は（Ａ）のＡ−Ａ断面図、（Ｃ）は（Ａ）のＢ−Ｂ断面図］
【図８】栓体の一部拡大図［（Ａ）は平面図、（Ｂ）は（Ａ）のＣ−Ｃ断面図］
【図９】アダプタ１３１の概略図（平面図）
【図１０】図６のＤ−Ｄ線断面図
【図１１】図９の左側面図
【図１２】図９の右（左）側面図
【図１３】ポート１０１とアダプタ１３１の接続状態図［（Ａ）は挿入前、（Ｂ）は挿入後、９０°回転前、（Ｃ）は挿入後、９０°回転後、（Ｄ）は（Ｃ）を９０°回転させた方向から見た断面図］
【図１４】本発明に使用するポート２０１の分解図
【図１５】本発明に使用するポート２０１の断面図
【図１６】従来の体外循環回路５１の通常使用時の概略図
【図１７】従来の体外循環回路５１の緊急離脱時の概略図
【符号の説明】
【００２３】
１、３５１  体外循環回路
２、３５２  動脈側体外循環回路
３、３５３  静脈側体外循環回路
４  ポート（着脱式接続部材）
５  ポート（着脱式接続部材）
６  アダプタ（着脱式接続部材）
７  アダプタ（着脱式接続部材）
８、１５８  閉止部材（クランプ、鉗子）
９  混注部
１０  動脈側コネクタ
１１  静脈側コネクタ
１２、３６２  ローリングチューブ
１３、３６３  チャンバ
３５４、３５５  メスコネクタ
３５６、３５７  オスコネクタ
１０１  ポート
１０２  ハウジング
１０３  口部
１０４  係合部
１０５  栓体
１０６  （栓体）突起
１１０  キャップ
１１１  開口部
１１２  係合部
１１３  側壁
１１４  天上壁
１１５  係合部
１１０Ｔ  （キャップ）突起
１１０Ｓ  （キャップ）空間
１３１  アダプタ
１３２  本体
１３３  ルアー部（注入口）
１３４  接続部
１３５  リブ
１３６  係合部
１３７  先細りの液体流通路
１３８  液体流通路
２０１  ポート
２０２  ハウジング
２０３  口部
２０４  係合部
２０５  栓体
２０６  スリット
２１０  キャップ
２１１  開口部
２１３  側壁
２１４  天上壁
２１５  係合部
２１６  円周リブ
【図１】
0003118320.tif 000003
【図２】
0003118320.tif 000004
【図３】
0003118320.tif 000005
【図４】
0003118320.tif 000006
【図５】
0003118320.tif 000007
【図６】
0003118320.tif 000008
【図７】
0003118320.tif 000009
【図８】
0003118320.tif 000010
【図９】
0003118320.tif 000011
【図１０】
0003118320.tif 000012
【図１１】
0003118320.tif 000013
【図１２】
0003118320.tif 000014
【図１３】
0003118320.tif 000015
【図１４】
0003118320.tif 000016
【図１５】
0003118320.tif 000017
【図１６】
0003118320.tif 000018
【図１７】
0003118320.tif 000019